(57)【要約】【課題】潜水士船の周囲より潜水士の浮上状況をリアルタイムに確認することができる浮上深度標示装置を提供する。【解決手段】潜水士船１上に、浮上停止深度に応じて複数の回転灯１１を縦列配置した標示ユニット１０と、前記各回転灯１１を点灯させるスイッチ２１を備えたスイッチボックス２０とを設置し、標示ユニット１０は国際信号旗であるＡ旗の近傍に、スイッチボックス２０は、潜水士２と通話可能な連絡員５の近傍に設置する。潜水士２が、下がり綱８に取付けた表示板９の水深で浮上停止するごとに、潜水士２からの連絡で連絡員５が、対応する水深のスイッチ２１を操作して回転灯１１を順に点灯させる。これによって潜水士船１の周囲に待機する管理者は、前記回転灯１１の点灯状態から浮上停止が規定どおりに行われたか否かを確認できる。また、回転灯１１に注目が集まるので、Ａ旗７の見落としが低減する。【選択図】図１
2008120203.tif 000002
【特許請求の範囲】
【請求項１】
潜水士船上に周辺から視認可能に設置された標示灯と該標示灯を点灯させるスイッチとを備え、前記標示灯は、潜水士の浮上停止深度に合せて縦列配置で複数設けられていることを特徴とする浮上深度標示装置。
【請求項２】
複数の標示灯が、浮上停止深度に応じて色分けされていることを特徴とする請求項１に記載の浮上深度標示装置。
【請求項３】
複数のスイッチが、潜水士と通話可能な潜水船上の連絡員によって操作可能に、スイッチボックスに集約して潜水士船上に配置されることを特徴とする請求項１または２に記載の浮上深度標示装置。
【請求項４】
複数のスイッチが、潜水士によって操作可能に、下がり綱に沿って浮上深度と同じ間隔で配置されることを特徴とする請求項１または２に記載の浮上深度標示装置。
【請求項５】
標示灯が、回転灯または点滅灯からなり、国際信号旗であるＡ旗の近傍に設置されることを特徴とする請求項１乃至４の何れか１項に記載の浮上深度標示装置。
【発明の詳細な説明】
【技術分野】
【０００１】
本発明は、海洋工事に従事する潜水士の浮上状況を周辺に認識させるための浮上深度標示装置に関する。
【背景技術】
【０００２】
水深１０ｍ以上の場所で潜水作業を行った潜水士は、減圧症防止のため、高気圧作業安全衛生規則に基づき、所定の水深で所定時間停止しながら浮上することを義務づけられている。このため、潜水士は、通常、潜水士船から吊り下げられた下がり綱に取付けた、水深を表す表示板（木札、布等）を頼りに、あるいは自身が携行する水深計を頼りに一時停止を行い、この一時停止を繰返して徐々に浮上するようにしている。なお、最近では、水深計として、潜水深度や滞留時間に応じて浮上停止深度や浮上停止時間を計算し、これをディスプレイ上に標示する機能を有する電子式水深計が用いられるようになっている（例えば、特許文献１参照）。
【特許文献１】特開平５−１４１９７３号公報
【発明の開示】
【発明が解決しようとする課題】
【０００３】
ところで従来、上記した浮上停止は、専ら潜水士の自発的な行為に依存しており、浮上停止が規定どおりに行われたか否かの確認は、浮上後に記録される潜水日報に頼らざるを得なかった。このため、何らかの理由で潜水日報に正確さを欠く場合には、外部から確認のしようがなく、安全管理の面から、何らかの対策が望まれていた。
【０００４】
また、潜水作業中は、潜水士船上に国際信号旗であるＡ旗を掲げて、周辺の船舶に注意を喚起するようにしているが、このＡ旗を見落として接近する船舶があとを絶たず、大きな人的、物的被害を引き起こす危険もあった。
【０００５】
本発明は、上記した問題点に鑑みてなされたもので、その第１の課題とするところは、潜水士船の周囲より潜水士の浮上状況をリアルタイムに確認することができる浮上深度標示装置を提供することにある。また、第２の課題とするところは、前記第１の課題に加え、周辺船舶に対する注意喚起にも大きな効果を発揮する浮上深度標示装置を提供することにある。
【課題を解決するための手段】
【０００６】
上記第１の課題を解決するための第１の発明は、潜水士船上に周辺から視認可能に設置された標示灯と該標示灯を点灯させるスイッチとを備え、前記標示灯は、潜水士の浮上停止深度に合せて縦列配置で複数設けられていることを特徴とする。
【０００７】
上記構成の浮上深度標示装置においては、潜水士が所定の浮上停止深度に到達するごとに、該浮上停止深度に対応するスイッチを操作して標示灯を点灯させることで、周囲の船舶または陸上に待機する管理者が潜水士の浮上状況をリアルタイムに確認することができる。この場合、前記複数の標示灯は、浮上停止深度に応じて色分けされている構成とするのが望ましく、これにより浮上状況をより正確に確認できる。
【０００８】
本第１の発明において、上記複数のスイッチは、潜水士と通話可能な潜水船上の連絡員によって操作可能に、スイッチボックスに集約して潜水士船上に配置されるようにしても、あるいは潜水士によって操作可能に、下がり綱に沿って浮上停止深度と同じ間隔で配置されるようにしてもよい。何れの場合においても、潜水士の意志によってスイッチが操作されるので、標示灯の点灯に紛れがなく、潜水士の浮上状況を正確に把握できる。
【０００９】
上記第２の課題を解決するための第２の発明は、上記第１の発明において、標示灯が、点滅灯または回転灯からなり、国際信号旗であるＡ旗の近傍に設置されることを特徴とする。
このように構成した浮上深度標示装置においては、標示灯が点滅灯または回転灯からなっているので、周辺の船舶から注目を集めやすく、該標示灯の近傍に存在するＡ旗の見落としが大幅に低減する。
【発明の効果】
【００１０】
第１の発明としての浮上深度標示装置によれば、潜水士船の周囲より潜水士の浮上状況をリアルタイムに確認することができるので、安全管理の充実を図ることができる。また、標示灯とスイッチとを組合せた簡単構造となっているので、コスト負担はわずかであり、その設置に特別のスペースを要しないこともあって、簡便に利用できる利点がある。
【００１１】
また、第２の発明としての浮上深度標示装置によれば、上記第１の発明の効果に加え、点滅灯または回転灯によってＡ旗に対する注意喚起が進むので、人的、物的被害の防止に大きく寄与するものとなる。
【発明を実施するための最良の形態】
【００１２】
以下、本発明を実施するための最良の形態を添付図面に基づいて説明する。
【００１３】
図１は、本発明の一つの実施形態である浮上深度標示装置を装備した潜水士船を示したものである。同図中、１は潜水士船、２は潜水士であり、潜水士船１と潜水士２との間は、エアホースおよび通信線を含むケーブル３によって結ばれている。本実施形態において、潜水士船１上には、前記ケーブル３中のエアホースを通して潜水士２に送る空気の送気量を管理する送気員４と、前記ケーブル３中の通信線を介して潜水士２と通話により情報交換する連絡員（綱夫）５と、予備員６とが配置されている。なお、予備員６については、必要に応じて配置されるもので、その配置は省略されることもある。
【００１４】
７は、国際信号旗の１つであるＡ旗であり、潜水士船１上の、周辺から視認可能な位置に設置されている。このＡ旗は、潜水作業中であることを周辺に知らせるためのもので、白色と青色（図では、黒く塗りつぶしている）との２色旗からなっている。
【００１５】
８は、潜水士船１から水中に吊り下げられた下がり綱である。下がり綱８は、潜水士２が潜降および浮上する際の案内として利用されるもので、これには、水深を表す木札又は布灯の表示板９が取付けられている。前記表示板９は、高気圧作業安全衛生規則に従って所定の水深ごとに取付けられており、特に水面に近い場所では、図示のように３ｍ間隔（水面から９ｍ，６ｍ，３ｍ深さ）で配置されている。この場合、各表示板９の標示水深は、浮上停止深度と一致している。
【００１６】
本発明に係る浮上深度標示装置は、上記Ａ旗７の近傍に該Ａ旗７とほぼ同じ高さに設置された標示ユニット１０と上記連絡員４の近傍に脱着可能に設置されたスイッチボックス２０とから概略構成されている。標示ユニット１０は、図２にも示されるように、３つの回転灯１１（１１Ａ，１１Ｂ，１１Ｃ）を縦列に配置してなっており、潜水士船１の甲板上に固定されるベース板１２に直立させた支柱１３上の支持板１４に載置されている。各回転灯１１Ａ，１１Ｂ，１１Ｃは、前記浮上停止深度（水面から９ｍ，６ｍ，３ｍ深さ）で潜水士２が浮上停止している状態を標示するもので、ここでは、前記浮上停止深度に応じて色分けされている。一例として、浮上停止深度９ｍに対応する最下位の回転灯１１Ａは緑色に、浮上停止深度６ｍに対応する中間位の回転灯１１Ｂは黄色に、浮上停止深度３ｍに対応する最上位の回転灯１１Ａは赤色にそれぞれ設定されている。また、各回転灯１１Ａ，１１Ｂ，１１Ｃの大きさは任意であるが、一例として１２０ｍｍ四方で、厚さ（高さ）１００ｍｍの大きさに設定される。
【００１７】
一方、スイッチボックス２０は、図３によく示されるように、上記標示ユニット１０内の３つの回転灯１１Ａ，１１Ｂ，１１Ｃを各独立に点灯させるスイッチ２１（２１Ａ，２１Ｂ，２１Ｃ）を、該回転灯の配列に合せて縦列に配置してなっている。また、このスイッチボックス２０には、前記各スイッチ２１Ａ，２１Ｂ，２１Ｃを操作（オン）した際点灯するランプ２２Ａ，２２Ｂ，２２Ｃとメインスイッチ２３とが配設されている。各ランプ２２Ａ，２２Ｂ，２２Ｃもまた、前記回転灯１１Ａ，１１Ｂ，１１Ｃに合せて色分けされている。
【００１８】
以下、上記のように構成した浮上深度標示装置の作用を説明する。
潜水作業を終えた潜水士２は、ケーブル３中の通信線を利用して潜水士船１上の連絡員５と連絡をとり、浮上を開始する旨を伝達する。すると、連絡員５は、潜水士船１の周辺の指令船または陸上の司令塔に待機している管理者に、例えば無線通信を利用して連絡をとり、潜水士２が浮上を開始する旨を伝達する。潜水士２は、下がり綱８を案内に浮上し、水深９ｍを表す表示板９の位置まで浮上したら、潜水士船１上の連絡員５に浮上停止を開始する旨を伝達する。連絡員５は、予めスイッチボックス２０を手元に引き寄せており、潜水士２から浮上停止開始の連絡を受けると、水深９ｍに対応する緑色（最下位）のスイッチ２１Ａを操作し、これによって標示ユニット１０内の緑色（最下位）の回転灯１１Ａが点灯する。なお、連絡員５は、スイッチボックス２０内の緑色のランプ２２Ａの点灯を確認して、スイッチ操作に誤りがないことを確認する。
【００１９】
潜水士２は、自身が携帯する水中時計を確認すると共に連絡員５からの指示により、上記した水深９ｍの浮上停止深度に所定時間停止する。そして、所定時間経過したら、再び浮上を開始し、次の水深６ｍを表す表示板９の位置で再び浮上停止を開始し、その旨を潜水士船１上の連絡員５に伝達する。連絡員５は、この連絡を受けると、水深６ｍに対応する黄色（中間位）のスイッチ２１Ｂを操作し、これによって標示ユニット１０内の黄色（中間位）の回転灯１１Ｂが点灯する。すなわち、標示ユニット１０は、最下位の緑色の回転灯１１Ａと中間位の黄色の回転灯１１Ｂとの２つが同時に点灯した状態となる。
【００２０】
潜水士２は、上記同様に水中時計を確認すると共に連絡員５からの指示により、上記水深６ｍの浮上停止深度に所定時間停止し、所定時間経過したら、次の水深３ｍを表す表示板９の位置まで浮上し、再び浮上停止を開始する。潜水士船１上の連絡員５は、潜水士２からの浮上停止開始の連絡を受けて、水深３ｍに対応する赤色（最上位）のスイッチ２１Ｃを操作し、これによって標示ユニット１０内の赤色（最上位）の回転灯１１Ｃが点灯する。すなわち、標示ユニット１０は、緑色の回転灯１１Ａと、黄色の回転灯１１Ｂと赤色の回転灯１１Ｃとの３つが同時に点灯した状態となる。その後、潜水士２は、前記水深３ｍでの浮上停止を終えたら水面上まで浮上し、連絡者５は、その浮上確認によりスイッチボックス２０内の全てのスイッチ２１をオフ操作し、これによって標示ユニット１０内の全ての回転灯１１（１１Ａ，１１Ｂ，１１Ｃ）が消灯する。
【００２１】
ここで、上記標示ユニット１０内の各回転灯１１Ａ，１１Ｂ，１１Ｃの点灯状態は、外部の管理者によって監視されており、該管理者は、各回転灯１１Ａ，１１Ｂ，１１Ｃの点灯時間から、潜水士２が規定の浮上停止を励行したか否かを確認する。因みに、高気圧作業安全衛生規則には、浮上速度が毎分１０ｍ以下と定められており、これに従えば、上記した浮上停止の間隔が３ｍであることから、各浮上停止深度間での浮上時間は、１８秒（＝６０×３／１０）以上となる。この場合、潜水士２が規定時間どおりの浮上停止を行ったとして、前記した時間（１８秒）間隔で回転灯１１が点灯すれば、規定どおりの浮上停止を行ったことになる。
【００２２】
このようにして、潜水士船１の周囲の船舶または陸上の監視塔に待機する管理者が、潜水士２の浮上状況をリアルタイムに確認することができるので、安全管理に対する信頼性が著しく向上し、潜水士２を減圧症から守ることができる。また、本浮上深度標示装置は、標示ユニット１０を構成する回転灯１１とスイッチ２１とを組合せた簡単構造となっているので、その製作にあまりコストがかからず、その設置に特別のスペースを要しないこともあって、簡便に利用できる。
【００２３】
本実施形態においては特に、各回転灯１１（１１Ａ，１１Ｂ，１１Ｃ）およびスイッチ２１（２１Ａ，２１Ｂ，２１Ｃ）が色分けされているので、潜水士２の浮上状況を外部からより正確に確認することができ、しかも連絡員５によるスイッチ操作に誤操作が生じ難くなる。さらに、標示灯が、回転灯１１からなっているので、周辺の船舶から注目を集めやすく、該回転灯１１の近傍に存在するＡ旗７の見落としが大幅に低減し、周辺の船舶が不注意に侵入して、人的、物的被害を引き起こす危険も大幅に低減する。
【００２４】
なお、上記標示ユニット１０を構成する標示灯は、上記した回転灯１１に代えて点滅灯を用いてもよいもので、この場合も、回転灯１１と同様に周辺船舶に対する注意喚起に寄与する。また、この標示灯は、単なる照明灯を用いてもよいものである。この場合は、周辺に対する注意喚起に寄与する効果は小さくなるが、管理者による浮上状況の確認には有用となる。
【００２５】
また、上記実施形態においては、スイッチ２１（２１Ａ，２１Ｂ，２１Ｃ）を備えたスイッチボックス２０を潜水士船１上に設置して、連絡員５にスイッチ操作をさせるようにしたが、本発明は、これらスイッチを下がり綱８に沿ってその表示板９に合せて配置して、潜水士２にスイッチ操作をさせるようにしてもよい。この場合は、連絡員５を介さずに、潜水士２によって直接スイッチ操作が行われるので、スイッチの誤操作防止に役立つ。
【図面の簡単な説明】
【００２６】
【図１】本発明に係る浮上深度標示装置を装備した潜水士船と浮上の実施状況を示す斜視図である。
【図２】本浮上深度標示装置を構成する標示灯を含む標示ユニットの構造を示す斜視図である。
【図３】本浮上深度標示装置を構成するスイッチを含むスイッチボックスの構造を示す斜視図である。
【符号の説明】
【００２７】
１    潜水士船
２    潜水士
５    連絡員
７    Ａ旗
８    下がり綱
９    水深表示板
１０  標示ユニット
１１  回転灯（１１Ａ，１１Ｂ，１１Ｃ）
２０  スイッチボックス
２１  スイッチ（２１Ａ，２１Ｂ，２１Ｃ）
【図１】
2008120203.tif 000003
【図２】
2008120203.tif 000004
【図３】
2008120203.tif 000005